(57)【要約】      （修正有）【課題】液体試料を計測する上で測定誤差の原因となる、異なる検体試料のコンタミネーション、試料吸引用ノズルや試料搬送ラインに付着した他の試料や汚れを有効かつ迅速に除去することを目的とする。【解決手段】本考案における改良型オートサンプラーは改良型ターンテーブル上に並べられた試料ボトルと同一円周上の一部に洗浄液槽を配置し、ポンプユニット、洗浄液タンク、濾過フィルター、洗浄液槽から成る洗浄液サーキュレーションシステムにより濾過された洗浄液を循環させ、常に清浄度の高い洗浄液が試料間の洗浄用液として洗浄液槽に供給され、洗浄液の液面レベルを試料の液面レベルより上方に位置すれば、各試料間の洗浄が確実に行われ、試料汚染やノズル等に付着したゴミ等による測定誤差の原因を著しく軽減することができる。【選択図】図２
0003107640.tif 000002
【実用新案登録請求の範囲】
【請求項１】
液体試料を自動的に切換え供給するオート多検体計測システムにおいて、同一円周上に並べられた液体試料を計測器に順次供給し、計測器の検知部の接液部及びその試料供給用配管の接液部を定められた清浄度に洗浄することを目的として、オート多検体計測システムの回転ステージ上に洗浄層、ポンプユニット、フィルターユニット、洗浄液貯液タンク並びに給排水管から成るサーキュレーションシステムを設置し、洗浄液を循環させることにより極めて清浄な洗浄液を精製し洗浄効果を高め、有効かつ迅速に試料汚染の除去を行い、自動運転を可能ならしめる精密循環式濾過システムが組み込まれたオート多検体計測システムを提供するものである。
【考案の詳細な説明】
【技術分野】
【０００１】
本考案は、液体用微粒子計測器等に対して液体試料を自動的に切り替え供給するオートサンプラーに関する。
【背景技術】
【０００２】
一般に、多くの検体を計測するための計測器や分析器等は複数の試料を自動的に分析するため、液体試料を自動的に切り換え供給できるオートサンプラーが用いられる。図１は垂直移動アーム1aを用いた試料吸引式のサンプラー１にターンテーブル式オートサンプラー２を組み合わせた一例を示す図である。同一円周上に並べられた試料ボトル2bをターンテーブル2aを回転させることにより計測サンプルをサンプラーの計測位置まで移動させ、垂直移動アーム1aを上下させることにより、自動的に種々の試料が目的とする計測器や分析器に供給される。
【０００３】
各試料間の洗浄は洗浄用液体の入ったボトルを液体試料の入ったボトル2bと同一円周上に配置し、それらを交互に供給することにより、各試料間の洗浄を行う。
【考案の開示】
【考案が解決しようとする課題】
【０００４】
しかしながら、上述したような各試料間の洗浄方法では、洗浄液を試料用ボトル2bと同程度の容積のボトルに入れるため、少量かつノズル1bに付着した試料により洗浄液が汚染され洗浄効果が下がる。
【０００５】
また、洗浄効果を上げるため、試料間において数本の洗浄ボトルにて連続した洗浄をおこなっても、前回の計測試料の液面レベルが洗浄液の液面レベルより上部にあることにより、洗浄されない部分が生じたり、ノズル1bに付着した試料が残存していた場合、洗浄効果を上げることは困難である。
【０００６】
そこで本考案は以上の問題点を解決するために創案されたものであって、液体試料を計測する上で測定誤差の原因となる、異なる検体試料のコンタミネーション、試料吸引用ノズル1bや試料搬送ラインに付着した他の試料や汚れを有効かつ迅速に除去することを目的とする。
【課題を解決するための手段】
【０００７】
上記目的を達成するために、本考案における改良型オートサンプラー図２は改良型ターンテーブル3a上に並べられた試料ボトル2bと同一円周上の一部分に洗浄液槽3bを配置し、ポンプユニット3c、洗浄液タンク3d、濾過フィルター3e、洗浄液槽3bから成る洗浄液サーキュレーションシステムにより濾過された洗浄液を循環させることを特徴とする。
【考案の効果】
【０００８】
本考案の効果として、サーキュレーションシステムで洗浄液を循環させることにより、常に清浄度の高い洗浄液が試料間の洗浄用液として洗浄液槽3bに供給され、洗浄液の液面レベルを試料の液面レベルより上方に位置すれば、各試料間の洗浄が確実に行われ、試料汚染やノズル1b等に付着したゴミ等による測定誤差の原因を著しく軽減できることを特徴とする。
【実施例】
【０００９】
本考案の実施例を図１〜図４に基づいて説明する。
【００１０】
図２は本考案にかかる改良型オートサンプラーの概略図である。３ｆは基台で、その内部に設けられたモーター３ｇの駆動手段により、改良型ターンテーブル3aを回転させる。
【００１１】
改良型オートサンプラー図２の駆動部分である改良型ターンテーブル3aと一体化して、ターンテーブル上にポンプユニット3c、濾過フィルター3e、三槽から成る洗浄液槽3bを設置し、また改良型ターンテーブル3aにぶら下がる形で基台内部にリング状の洗浄液貯蓄用タンク3dを設け、駆動部分上での洗浄液サーキュレーションシステムを形成する。
【００１２】
図３は洗浄液サーキュレーションシステムのブロック図である。ポンプユニット3cにより洗浄液貯蓄用タンク3dに貯蓄された洗浄液を吸引し、粗濾過用フィルター3e-1と精密濾過フィルター3e-2を通して洗浄液槽3bの第一槽に供給する。洗浄液槽3bは三槽から成り、各槽の間には、高さを違えた仕切り板が設けられ、第一槽で溢れた洗浄液は第二槽そして第三槽へと順に注ぎ込まれ、第三槽より高低差により元の洗浄液貯蓄用タンク3dに戻される。
【００１３】
試料計測中において、効果的な洗浄を行うために二段階の洗浄工程を行うが、第一洗浄を粗洗浄とし洗浄槽５の第二槽を使用し、次に第二洗浄を精密洗浄とし第一槽を使用する。この三連から成る洗浄槽はオーバーフローにより第一槽の洗浄液は第二槽のものより清浄に保たれる。第三槽は洗浄液を洗浄液貯蓄用タンクに戻すための槽である。
【００１４】
この洗浄槽の設置個所はターンテーブル上の同一円周上に設けられた試料ボトルを収めるための穴を三箇所使うことにより、この洗浄工程は垂直移動アームを用いた試料吸引式のサンプラーで行う試料計測と同一の動きで行うことができる。
【図面の簡単な説明】
【００１５】
【図１】従来型オートサンプラーと試料吸引式サンプラーの概略図である。
【図２】本考案にかかる改良型オートサンプラーの概略図である。
【図３】洗浄液サーキュレーションシステムのブロック図である。
【図４】洗浄液槽のオーバーフローシステムを示す概観図である。
【符号の説明】
【００１６】
1 ---------- 試料吸引式サンプラー
1a--------- 垂直移動アーム
1b--------- ノズル
2 ---------- 従来型オートサンプラー
2a--------- 従来型ターンテーブル
2b--------- 試料ボトル
3a--------- 改良型ターンテーブル
3b--------- 洗浄液槽
3c--------- ポンプユニット
3d--------- 洗浄液用タンク
3e--------- 濾過フィルター
3f--------- 基台
3g-------- モーター
【図１】
0003107640.tif 000003
【図２】
0003107640.tif 000004
【図３】
0003107640.tif 000005
【図４】
0003107640.tif 000006
【手続補正書】
【提出日】平成16年10月7日(2004.10.7)
【手続補正１】
【補正対象書類名】実用新案登録請求の範囲
【補正対象項目名】全文
【補正方法】変更
【補正の内容】
【実用新案登録請求の範囲】
【請求項１】
液体試料を自動的に切換え供給するオート多検体計測システムにおいて、同一円周上に並べられた液体試料を計測器に順次供給し、計測器の検知部の接液部及びその試料供給用配管の接液部を定められた清浄度に洗浄することを目的として、オート多検体計測システムの回転ステージ上に洗浄槽、ポンプユニット、フィルターユニット、洗浄液貯液タンク並びに給排水管から成るサーキュレーションシステムを設置し、洗浄液を給排水管を通し、洗浄槽から洗浄液貯液タンクへ、洗浄液貯液タンクからポンプユニットへ、ポンプユニットからフィルターユニットへ供給し、フィルターユニットから再度洗浄槽へ戻し、循環させることにより極めて清浄な洗浄液を精製し洗浄効果を高め、有効かつ迅速に試料汚染の除去を行い、自動運転を可能ならしめる精密循環式濾過システムが組み込まれたオート多検体計測システム。